(57)【特許請求の範囲】
【請求項１】
給水管及び給湯管と接続された熱交換器により該給水管から供給された水から加熱生成されて該給湯管に供給される湯と、前記熱交換器をバイパスして前記給水管と前記給湯管とを連通するバイパス管を介して前記給湯管に供給される水との混合比率を、該混合比率を可変する混合弁の制御位置を調節して制御することによって、前記給湯管の前記バイパス管との合流箇所の下流側に供給される湯の温度を所定の目標給湯温度と一致させる給湯温度の制御方法において、
前記混合弁の制御位置と該制御位置に応じて定まると想定した前記混合比率との関係を記憶したデータテーブルにより求めた、前記混合弁の制御位置に応じた混合比率である想定混合比率と、前記熱交換器から供給される湯の温度と、前記給湯管の前記バイパス管との合流箇所の下流側に供給される湯の温度とに基づいて、前記給水管から供給される水の温度を算出し、
このようにして算出した水の温度と前記熱交換器から供給される湯の温度とに基づいて、前記目標給湯温度を得るために必要な混合比率である必要混合比率を算出して、
前記混合弁の制御位置を前記必要混合比率に応じて前記データテーブルから求めた制御位置とすることにより、前記給湯管の前記バイパス管との合流箇所の下流側に供給される湯の温度が所定の目標給湯温度と一致するようにしたことを特徴とする給湯温度の制御方法。
【請求項２】
給水管及び給湯管と接続され、該給水管から供給される水を加熱して生成した湯を前記給湯管に供給する熱交換器と、該熱交換器をバイパスして前記給水管と前記給湯管を連通するバイパス管と、前記熱交換器から前記給湯管に供給される湯と前記給水管から前記バイパス管を介して前記給湯管に供給される水との混合比率を調節する混合弁と、前記熱交換器から供給される湯の温度を検出する熱交温度センサと、前記給湯管の前記バイパス管との合流箇所の下流側に供給される湯の温度を検出する給湯温度センサと、該給湯温度センサの検出温度が所定の目標給湯温度と一致するように、前記混合弁の制御位置を調節して前記混合比率を制御する給湯温制御手段とを備えた給湯装置において、
前記混合弁の制御位置と該制御位置に応じて定まると想定した前記混合比率との対応関係を記憶したデータテーブルと、
前記熱交温度センサの検出温度と、前記給湯温度センサの検出温度と、前記混合弁の制御位置に応じて前記データテーブルから求めた混合比率である想定混合比率とに基づいて、前記給水管から供給される水の温度を算出する給水温度算出手段と、
該給水温度算出手段により算出された水の温度と、前記熱交温度センサの検出温度とに基づいて、前記目標給湯温度を得るために必要な混合比率である必要混合比率を算出する必要混合比率算出手段とを備え、
前記給湯温制御手段は、前記混合弁の制御位置を、前記必要混合比率に応じて前記データテーブルから求めた制御位置とすることによって、前記給湯温度センサの検出温度が前記目標給湯温度と一致するようにしたことを特徴とする給湯装置。
【請求項３】
前記給湯装置が給湯開始前の待機状態にあるときに、前記必要混合比率算出手段は、前記給水温度算出手段により算出された水の温度が通常供給される水の温度よりも高く設定した初期給水温度であると仮定して前記必要混合比率を算出し、前記給湯制御手段は、前記混合弁の制御位置を、このようにして算出された必要混合比率に応じて前記データテーブルから求めた制御位置とすることを特徴とする請求項２記載の給湯装置。
【発明の詳細な説明】
【０００１】
【発明の属する技術分野】
本発明は、混合弁の制御位置を調節して給湯温度を制御する給湯温度の制御方法及び給湯装置に関する。
【０００２】
【従来の技術】
従来、図４に示したように、熱交換器５０と接続された給水管５１と給湯管５２を連通するバイパス管５３を設け、熱交換器５０から供給される湯とバイパス管５３を介して供給される水との混合比率を、給湯管５２とバイパス管５３との合流箇所に設けた混合弁５４により調節することで、合流箇所の下流に供給される湯の温度を制御するいわゆるミキシング式の給湯装置が知られている。
【０００３】
かかる給湯装置においては、給水管５１に供給される水の有無を検出する水流スイッチ５５、給水管５１に供給される水の温度を検出する給水温度センサ５６、熱交換器５０から出湯される湯の温度を検出する熱交温度センサ５７、及び給湯管５２とバイパス管５３の合流箇所の下流側に供給される湯の温度を検出する給湯温度センサ５８が設けられる。
【０００４】
そして、水流スイッチ５５により給水管５１に水が供給されていることが検出されている間、給湯温度センサ５８の検出温度Ｔout（以下、実給湯温度Ｔoutという）がリモコン６１で設定される目標給湯温度Ｔsetと一致するように、コントローラ６０により混合弁５４の制御位置が調節される。
【０００５】
コントローラ６０は、給水温度センサ５６により検出される給水管５１に供給される水の温度Ｔinと、熱交温度センサ５７により検出される熱交換器５０から供給される湯の温度Ｔhとを認識することで、実給湯温度Ｔoutを目標給湯温度Ｔsetの給湯を行うために必要な混合比率である必要混合比率Ｒnを算出することができる。
【０００６】
そして、このように算出した必要混合比率Ｒnが得られるように混合弁５４の制御位置を調節することで、コントローラ６０は、実給湯温度Ｔoutを目標給湯温度Ｔsetと一致させることができる。しかし、実際には、混合弁５４は個体によりばらつく位置決め誤差を有するため、コントローラ６０が混合弁５４の制御位置を直ちに前記必要混合比率Ｒnが得られる制御位置に操作することは困難である。
【０００７】
すなわち、コントローラ６０は、混合弁５４の制御位置と該制御位置に応じて定まると想定した混合比率との対応関係を保持したデータテーブル６２を有しているが、前記必要混合比率Ｒnに応じた混合弁５４の制御位置をデータテーブル６２によって求め、混合弁５４を該制御位置に操作しても、上述した位置決め誤差により、実際に設定される混合比率は前記必要混合比率Ｒnとはならない。そのため、実給湯温度Ｔoutは目標給湯温度Ｔsetと一致しない。
【０００８】
そこで、コントローラ６０は、実給湯温度Ｔoutと目標給湯温度Ｔsetとの偏差ΔＴ（＝Ｔset−Ｔout）を解消するように、以下の式（１）、（２）に基づくＰＩ制御を行っていた。なお、式（１）のＰ1、及び式（２）のＩ1は実験により定めた定数であり、Ｐ，Ｉは混合弁５４の制御位置を可変するステッピングモータ５９の制御ステップを単位として算出される。
【０００９】
Ｐ＝Ｐ1×（Ｔset−Ｔout）  ・・・・・（１）
Ｉ＝Ｉ1×∫（Ｔset−Ｔout）  ・・・・・（２）
ＰＩ制御においては、上記式（１）と（２）によりＰ，Ｉを算出して、混合弁５４の制御位置をＰ＋Ｉステップ分動かすことで、上述した偏差ΔＴを減らしていく操作が行われる。
【００１０】
しかし、混合弁５４の制御位置と該制御位置に応じて定まる実際の混合比率との関係は、混合弁５４の個体ばらつきにより一定とはならない。そのため、定数Ｐ1とＩ1は、このような混合弁５４の個体ばらつきを考慮して定める必要があるが、実験等により、ばらつきが生じても実給湯温度Ｔoutを速やかに目標給湯温度Ｔsetと一致させることができる定数Ｐ1，Ｉ1を定めるのに工数を要するという不都合があった。さらに、想定したばらつきの範囲を超えた混合弁を使用した場合には、該混合弁に対しては不適当な定数Ｐ1,Ｉ1に基づいたＰＩ制御が行われるため、実給湯温度Ｔoutが目標給湯温度Ｔsetと一致するまでに要する時間が長くなってしまうという不都合があった。
【００１１】
【発明が解決しようとする課題】
本発明は、上記不都合を解消し、混合弁の制御位置と該制御位置によって定まる実際の混合比率との関係が混合弁の個体によりばらつく場合であっても、給湯温度を速やかに目標給湯温度と一致させることができる給湯温度の制御方法及び給湯装置を提供することを目的とする。
【００１２】
【課題を解決するための手段】
本発明は上記目的を達成するためになされたものであり、本発明の給湯温度の制御方法は、給水管及び給湯管と接続された熱交換器により該給水管から供給された水から加熱生成されて該給湯管に供給される湯と、前記熱交換器をバイパスして前記給水管と前記給湯管とを連通するバイパス管を介して前記給湯管に供給される水との混合比率を、該混合比率を可変する混合弁の制御位置を調節して制御することによって、前記給湯管の前記バイパス管との合流箇所の下流側に供給される湯の温度を所定の目標給湯温度と一致させる給湯温度の制御方法の改良に関する。
【００１３】
そして、前記混合弁の制御位置と該制御位置に応じて定まると想定した前記混合比率との関係を記憶したデータテーブルにより求めた、前記混合弁の制御位置に応じた混合比率である想定混合比率と、前記熱交換器から供給される湯の温度と、前記給湯管の前記バイパス管との合流箇所の下流側に供給される湯の温度とに基づいて、前記給水管から供給される水の温度を算出し、このようにして算出した水の温度と前記熱交換器から供給される湯の温度とに基づいて、前記目標給湯温度を得るために必要な混合比率である必要混合比率を算出して、前記混合弁の制御位置を前記必要混合比率に応じて前記データテーブルから求めた制御位置とすることにより、前記給湯管の前記バイパス管との合流箇所の下流側に供給される湯の温度が所定の目標給湯温度と一致するようにしたことを特徴とする。
【００１４】
かかる本発明によれば、先ず前記データテーブルにより求めた前記想定混合比率と、前記熱交換器から供給される湯の温度と、前記給湯管の前記バイパス管との合流箇所の下流側に供給される湯の温度とに基づいて、前記給水管から供給される水の温度が算出される。そして、このように算出される水の温度は、前記想定混合比率と前記混合弁の制御位置により定まる実際の混合比率（以下、実混合比率という）の誤差を反映したものとなる。例えば、前記混合比率を、前記熱交換器から供給される湯の流量に対する前記バイパス管から供給される水の流量の割合とすると、前記想定混合比率が実混合比率よりも大きいときは、算出される水の温度は実際に前記給水管に供給される水の温度よりも低くなる。また、逆に、前記想定混合比率が実混合比率よりも小さいときには、算出される水の温度は実際に前記給水管に供給される水の温度よりも高くなる。
【００１５】
そのため、このようにして算出された水の温度と、前記熱交換器から供給される湯の温度とに基づいて算出される前記必要混合比率は、前記想定混合比率と前記実混合比率との差を解消する混合比率となる。したがって、前記混合弁の制御位置を前記必要混合比率に応じて前記データテーブルから求めた制御位置とすることで、前記混合弁の個体ばらつきにより前記想定混合比率と実混合比率との差がばらつく場合であっても、前記給湯管の前記バイパス管との合流箇所の下流側に供給される湯の温度を、速やかに所定の目標給湯温度とすることができる。
【００１６】
また、上述した本発明の給湯温度の制御方法の具体的な実施態様である本発明の給湯装置は、給水管及び給湯管と接続され、該給水管から供給される水を加熱して生成した湯を前記給湯管に供給する熱交換器と、該熱交換器をバイパスして前記給水管と前記給湯管を連通するバイパス管と、前記熱交換器から前記給湯管に供給される湯と前記給水管から前記バイパス管を介して前記給湯管に供給される水との混合比率を調節する混合弁と、前記熱交換器から供給される湯の温度を検出する熱交温度センサと、前記給湯管の前記バイパス管との合流箇所の下流側に供給される湯の温度を検出する給湯温度センサと、該給湯温度センサの検出温度が所定の目標給湯温度と一致するように、前記混合弁の制御位置を調節して前記混合比率を制御する給湯温制御手段とを備える。
【００１７】
そして、前記混合弁の制御位置と該制御位置に応じて定まると想定した前記混合比率との対応関係を記憶したデータテーブルと、前記熱交温度センサの検出温度と、前記給湯温度センサの検出温度と、前記混合弁の制御位置に応じて前記データテーブルから求めた混合比率である想定混合比率とに基づいて、前記給水管から供給される水の温度を算出する給水温度算出手段と、該給水温度算出手段により算出された水の温度と、前記熱交温度センサの検出温度とに基づいて、前記目標給湯温度を得るために必要な混合比率である必要混合比率を算出する必要混合比率算出手段とを備え、前記給湯温制御手段は、前記混合弁の制御位置を、前記必要混合比率に応じて前記データテーブルから求めた制御位置とすることによって、前記給湯温度センサの検出温度が前記目標給湯温度と一致するようにしたことを特徴とする。
【００１８】
かかる本発明によれば、先ず、前記熱交温度センサの検出温度と前記給湯温度センサの検出温度と前記データテーブルによって求められた前記混合弁の制御位置に応じた前記想定混合比率とに基づいて、前記給水温度算出手段により、前記給水管から供給される水の温度が算出される。そして、このように算出される水の温度は、上述したように、前記想定混合比率と前記混合弁の制御位置により定まる実際の混合比率（以下、実混合比率という）の差を反映したものとなる。
【００１９】
そのため、前記給水温度算出手段により算出した水の温度に基づいて、前記必要混合比率算出手段により算出される前記必要混合比率は、前記想定混合比率と前記実混合比率との差に起因する前記給湯温度センサの検出温度と前記目標給湯温度との差を解消する混合比率となる。したがって、前記給湯温制御手段は、前記混合弁の制御位置を前記必要混合比率に応じて前記データテーブルから求めた制御位置とすることで、前記混合弁の個体ばらつきにより前記想定混合比率と実混合比率との差がばらつく場合であっても、前記給湯温度センサにより検出される前記給湯管の前記バイパス管との合流箇所の下流に供給される湯の温度を前記目標給湯温度と速やかに一致させることができる。
【００２０】
また、前記給湯装置が給湯開始前の待機状態にあるときに、前記必要混合比率算出手段は、前記給水温度算出手段により算出された水の温度が通常供給される水の温度よりも高く設定した初期給水温度であると仮定して前記必要混合比率を算出し、前記給湯制御手段は、前記混合弁の制御位置を、このようにして算出された必要混合比率に応じて前記データテーブルから求めた制御位置とすることを特徴とする。
【００２１】
かかる本発明において、前記初期給水温度に応じて前記必要混合比率算出手段により算出される前記必要混合比率は、前記給水管から供給される水の通常の温度に応じて算出される前記必要混合比率よりも、前記熱交換器から供給される湯の量を減少させるものとなる。そのため、前記給湯制御手段は、前記給湯装置が待機状態にあるときに、前記混合弁の制御位置を前記初期給水温度に基づいて算出された前記必要混合比率算出手段に応じた制御位置とすることで、給湯が開始されたときに、前記給湯管の前記バイパス管との合流箇所の下流側に異常に高温の湯が供給されることを防止することができる。
【００２２】
【発明の実施の形態】
本発明の実施の形態の一例について、図１〜図３を参照して説明する。図１は本発明の給湯装置の全体構成図、図２は図１に示した給湯装置における給湯温度の制御手順を示したフローチャート、図３は図１に示した給湯装置における給湯温度の制御の実行結果を示したグラフである。
【００２３】
図１を参照して、本発明の給湯装置は、給湯熱交換器１（本発明の熱交換器に相当する）と接続された給水管２及び給湯管３と、給湯熱交換器１をバイパスして給水管２と給湯管３を連通するバイパス管４と、給湯管３とバイパス管４の合流箇所に設けられて、給湯熱交換器１から供給される湯とバイパス管４を介して供給される水との混合比率を調節する混合弁５と、給水管２に供給される水の有無を検出する水流スイッチ６とを備える。
【００２４】
そしてさらに、給湯装置は、給水管２に供給される水の温度を検出する給水温度センサ７と、給湯熱交換器１から供給される湯の温度を検出する熱交温度センサ８と、給湯管３のバイパス管４との合流箇所の下流に供給される湯の温度を検出する給湯温度センサ９と、混合弁５の制御位置を調節するためのステッピングモータ１０と、給湯装置の作動を制御するコントローラ１１と、使用者が給湯装置の作動を指示するためのリモコン１２とを備える。
【００２５】
なお、本実施の形態では、給湯熱交換器１から供給される湯の流量を１としたときのバイパス管４から供給される水の流量の割合を、給湯熱交換器１から供給される湯とバイパス管４から供給される水の混合比率とする。
【００２６】
給湯熱交換器１には、熱源機２０から温水循環配管２１を介して温水が供給され、熱源機２０は、温水循環配管２１中に温水を循環させるポンプ２３と、温水循環配管２１中の温水をバーナ２４により加熱する循環熱交換器２２とを備える。そして、熱源機２０は、給湯熱交換器１内に貯まった湯の温度が所定温度（例えば８０℃）に保たれるように、バーナ２４の燃焼量を調節して温水循環配管２１を介して給湯熱交換器１に供給する温水の温度を制御すると共に、ポンプ２３の作動を制御して温水循環配管２１を介して給湯熱交換器１に供給する温水の量を制御する。これにより、給湯熱交換器１から給湯管３には、ほぼ一定の温度（８０℃）の湯が、ほぼ一定の圧力で供給される。
【００２７】
コントローラ１１は、給湯温度センサ９により検出される給湯管３のバイパス管４との合流箇所の下流に供給される湯の温度Ｔout（以下、実給湯温度Ｔoutという）が、リモコン１２により設定された目標給湯温度Ｔsetと一致するように、モータドライバー３０に位置制御信号Ｐcmを出力する給湯温制御手段３１と、混合弁５の制御位置Ｖpと該制御位置Ｖpに応じて設定されると想定した混合比率である想定混合比率Ｒsとの対応関係を記憶したデータテーブル３２とを備える。
【００２８】
さらに、コントローラ１１は、熱交温度センサ８により検出される給湯熱交換器１から供給される湯の温度Ｔh（以下、出湯温度Ｔhという）と実給湯温度Ｔoutとデータテーブル３２により求めた混合弁５の制御位置Ｖpに応じた想定混合比率Ｒsとから、給水管２に供給される水の温度Ｔinc（以下、算出給水温度Ｔincという）を算出する給水温度算出手段３３と、出湯温度Ｔhと実給湯温度Ｔoutと算出給水温度Ｔincとに基づいて実給湯温度Ｔoutを目標給湯温度Ｔsetと一致させるのに必要な混合比率である必要混合比率Ｒnを算出する必要混合比率算出手段３４とを備える。
【００２９】
給湯温制御手段３１からモータドライバー３０に出力される位置制御信号Ｐcmは混合弁５の制御位置Ｖpに応じたものであり、本実施の形態では、給湯温制御手段３１は、ステッピングモータ１０の回転位置を０〜２０００ステップの範囲で制御することで、混合弁５の制御位置Ｖpを調節する。
【００３０】
ここで、コントローラ１１は、給水温度センサ７により検出される前記給水管に供給される水の温度Ｔin（以下、実給水温度Ｔinという）と、出湯温度Ｔhとから、以下の式（３）により実給湯温度Ｔoutを目標給湯温度Ｔsetと一致させるのに必要な混合比率である必要混合比率Ｒnrを算出することができる。
【００３１】
Ｒnr＝（Ｔh−Ｔin）／（Ｔset−Ｔin）−１  ・・・・・（３）
そして、データテーブル３２から求められる混合弁５の制御位置Ｖpに応じた想定混合比率ＲSと、混合弁５の制御位置Ｖpに応じて設定される実際の混合比率（以下、実混合比率Ｒrという）とが一致していれば、混合弁５の制御位置Ｖpを前記必要混合比率Ｒnrに応じてデータテーブル３２から定められる制御位置とすることで、実給湯温度Ｔoutを目標給湯温度Ｔsetと一致させることができる。
【００３２】
しかし、実際には、混合弁５の制御位置Ｖpは、以下の式（４）で表されるように、混合弁５の個体によりばらつく固有値ａ，ｂの影響により、ステッピングモータ１０の制御ステップ数が同じであっても一定とはならない。
【００３３】
Ｖp＝ａ×ステップ数＋ｂ  ・・・・・（４）
そのため、混合弁５の制御位置Ｖpに対する想定混合比率Ｒsと実混合比率Ｒrとは一致せず、上記式（３）で算出した必要混合比率Ｒnrに対応する混合弁５の制御位置をデータテーブル３２により求め、該制御位置に応じた位置制御信号Ｐcmをモータドライバー３０に出力しても、設定される実混合比率Ｒrは上記式（４）による誤差を含むため前記必要混合比率Ｒnrとはならない。したがって、実給湯温度Ｔoutを目標給湯温度Ｔsetと一致させることはできない。
【００３４】
そこで、コントローラ１１は、想定混合比率Ｒsと実混合比率Ｒrとの誤差を考慮して実給湯温度Ｔoutを目標給湯温度Ｔsetと一致させるための処理を行う。以下、図２のフローチャートを参照して、この処理について説明する。
【００３５】
図２を参照して、ＳＴＥＰ１で給湯装置への通電が開始されると、給湯装置は待機状態となる。そして、ＳＴＥＰ２に進んで、コントローラ１１は、後述する算出給水温度Ｔincの初期値（本発明の初期給水温度に相当する）を２５℃に設定する。
【００３６】
そして、次のＳＴＥＰ３で水流スイッチ６がＯＮしている間、すなわち、給水管２に水が供給されている間、コントローラ１１は、ＳＴＥＰ４〜ＳＴＥＰ７を繰り返し実行する。ＳＴＥＰ４は、給水温度算出手段３３による処理であり、給水温度算出手段３３は、出湯温度Ｔhと実給湯温度Ｔoutと混合弁５の現状の制御位置Ｖpに応じてデータテーブル３２から求めた想定混合比率Ｒsとに基づいて、以下の式（５）により、給水管２から供給される水の温度（以下、算出給水温度Ｔincという）を算出する。
【００３７】
Ｔinc＝｛（１＋Ｒs）×Ｔout−Ｔh｝／Ｒs  ・・・・・（５）
ここで、算出給水温度Ｔincは、想定混合比率Ｒsと実混合比率Ｒrとの誤差を反映したものとなる。すなわち、想定混合比率Ｒsが実混合比率Ｒrよりも大きいときは、算出給水温度Ｔincは実給水温度Ｔinよりも低くなり、逆に、想定混合比率Ｒsが実混合比率Ｒrよりも小さいときには、算出給水温度Ｔincは実給水温度Ｔinよりも高くなる。
【００３８】
続くＳＴＥＰ５は、必要混合比率算出手段３４による処理であり、必要混合比率算出手段３４は、算出給水温度Ｔincと出湯温度Ｔhとから、以下の式（６）により、実給湯温度Ｔoutを目標給湯温度Ｔsetに一致させるために必要な混合比率である必要混合比率Ｒnsを算出する。
【００３９】
Ｒns＝（Ｔh−Ｔinc）／（Ｔset−Ｔinc）−１  ・・・・・（６）
このように、算出給水温度Ｔincに基づいて必要混合比率Ｒnsを算出した場合、算出される必要混合比率Ｒnsは、上述した式（３）により算出される必要混合比率Ｒnrと異なり、実混合比率Ｒrではなく誤差を含んだ想定混合比率Ｒsとなる。
【００４０】
そのため、上記式（５）で算出した必要混合比率Ｒnsに対応する混合弁５の制御位置Ｖpをデータテーブル３２から求め、混合弁５を該制御位置Ｖpとすることで、実給湯温度Ｔoutを目標給湯温度Ｔsetと一致させることができる。
【００４１】
そこで、次のＳＴＥＰ６で、給湯温制御手段３１は、必要混合比率Ｒnsに対応する混合弁５の制御位置をデータテーブル３２から求め、続くＳＴＥＰ７で、該制御位置に応じた位置指令信号Ｐcmをモータドライバー３０に出力する。これにより、モータドライバー３０からステッピングモータ１０に駆動信号が出力されて、混合弁５の制御位置Ｖpが必要混合比率Ｒnsに応じた制御位置に操作される。以上説明したＳＴＥＰ４〜ＳＴＥＰ７の処理を繰り返すことにより、実給湯温度Ｔoutを目標給湯温度Ｔsetに速やかに一致させることができる。
【００４２】
図３は、算出給水温度Ｔincの初期値を１０℃、目標給湯温度Ｔsetを４５℃としたときに、上述したＳＴＥＰ４からＳＴＥＰ７の処理を実行した例を示したものであり、実線は実給湯温度Ｔout、点線は目標給湯温度Ｔset、一点鎖線は想定混合比率Ｒsをそれぞれ示している。図３から、ＳＴＥＰ４からＳＴＥＰ７の処理回数が進むにつれて想定混合比率Ｒsの設定が減少し、それに応じて実給湯温度Ｔoutが速やかに目標給湯温度Ｔsetに収束している様子がわかる。
【００４３】
なお、ＳＴＥＰ１で通電が開始された後、ＳＴＥＰ３で水流スイッチ６がＯＦＦ状態であったとき、すなわち、給水管２に水が供給されていない待機状態にあるときは、ＳＴＥＰ３からＳＴＥＰ５に分岐し、必要混合比率算出手段３４は、算出給水温度Ｔincが初期値（２５℃）であるとして、必要混合比率Ｒnsを算出する。これにより、給湯装置が待機状態にあるときは、混合弁５の制御位置Ｖpが初期値（２５℃）に応じた位置に保持され、実混合比率Ｒrが極めて小さい状態で給湯が開始されて異常に高温の湯が給湯管３の下流に供給されることを防止している。
【００４４】
また、ＳＴＥＰ３で水流スイッチ６がＯＮして給湯が開始された後、給水管２への給水が停止されたときは、停止時の算出給水温度Ｔincにより必要混合比率Ｒnsが算出され、混合弁５は該Ｒnsに応じた制御位置Ｖpに保持される。そのため、この場合にも、実混合比率Ｒrが極めて小さい状態で給湯が開始されて異常に高温の湯が給湯管３の下流に供給されることを防止することができる。
【００４５】
また、図２のＳＴＥＰ２における初期値として、固定値（２５℃）ではなく、前回の給湯停止直前にＳＴＥＰ４で算出された給水温度Ｔincを用いてもよい。この場合、前回の給湯停止時における給水温度と、給湯再開時における給水温度との間にはさほど差がないと考えられるため、給湯停止中の混合弁５の制御位置Ｖpを実際の給水温度に応じた制御位置の付近に予め操作しておくことができる。そのため、給湯が再開されたときに、より速く実給湯温度Ｔoutを目標給湯温度Ｔsetに安定させることができる。
【００４６】
また、本実施の形態では、本発明の熱交換器として熱源機２０から供給される湯により貯められた湯を一定（８０℃）に保つ給湯熱交換器１を用いたが、ガスバーナや電気ヒータ等を用いて、給水管２から供給される水を加熱する熱交換器を用いてもよい。
【図面の簡単な説明】
【図１】本発明の給湯装置の全体構成図。
【図２】図１に示した給湯装置における給湯温度の制御手順を示したフローチャート。
【図３】図１に示した給湯装置における給湯温度の制御の実行結果を示したグラフ。
【図４】従来の給湯装置の全体構成図。
【符号の説明】
１…給湯熱交換器、２…給水管、３…給湯管、４…バイパス管、５…混合弁、６…水流スイッチ、７…給水温度センサ、８…熱交温度センサ、９…給湯温度センサ、１０…ステッピングモータ、１１…コントローラ、１２…リモコン、２０…熱源機
【図１】
0003805595.tif 000002
【図２】
0003805595.tif 000003
【図３】
0003805595.tif 000004
【図４】
0003805595.tif 000005